(57)【要約】【課題】複数のチャネルを用いて通信を行う無線システムにおいて、適切なチャネル選択を行うことにより、少なくとも３つの無線システムを同時に使用すること。【解決手段】ブルートゥースホッピングパタン設定部１１７は、Ｗ−ＣＤＭＡ通信方式の信号とブルートゥースの各チャネルの信号とにより生ずる相互変調歪みが、ＧＰＳの受信周波数と干渉しないチャネルの選択順序を設定する。ブルートゥース周波数シンセサイザ部１１３は、ブルートゥースホッピングパタン設定部１１７が設定した選択順序でブルートゥースのチャネルを順次選択し、選択したチャネルの周波数に周波数変換する局部発振信号を生成する。ブルートゥースＲＦ受信部１１４は、局部発振信号により受信信号を高周波信号からベースバンド信号に周波数変換する。ブルートゥースＲＦ送信部１１５は、局部発振信号により送信信号をベースバンド信号から高周波信号に周波数変換する。【選択図】図１
2009267678.tif 000002
【特許請求の範囲】
【請求項１】
第１の通信方式の信号と第２の通信方式の各チャネルの信号とにより生じる相互変調歪みが第３の通信方式の受信周波数と干渉しない前記チャネルの選択順序を設定するパタン設定手段と、
前記パタン設定手段が設定した前記選択順序で前記チャネルを順次選択し、選択した前記チャネルの周波数に周波数変換する局部発振信号を生成する周波数シンセサイザと、
前記局部発振信号により送信信号または受信信号を周波数変換して前記第２の通信方式の信号として送信または受信する通信手段と、
を具備する通信装置。
【請求項２】
前記パタン設定手段は、前記第１の通信方式の通信中に前記選択順序を設定する請求項１記載の通信装置。
【請求項３】
前記パタン設定手段は、複数のチャネルを有する前記第１の通信方式において使用中のチャネルの信号と前記第２の通信方式の各チャネルの信号とにより生じた相互変調歪みが第３の通信方式の受信周波数と干渉しない前記チャネルの選択順序を設定する請求項１または請求項２記載の通信装置。
【請求項４】
前記第１の通信方式の送信信号の送信電力を設定する送信電力設定手段を具備し、
前記パタン設定手段は、設定した前記送信電力がしきい値より大きい場合に前記選択順序を設定する請求項１から請求項３のいずれかに記載の通信装置。
【請求項５】
第１の通信方式の信号と第２の通信方式の各チャネルの信号とにより生じる相互変調歪みが第３の通信方式の受信周波数と干渉しない前記チャネルの選択順序を設定するステップと、
設定した前記選択順序で前記チャネルを順次選択し、選択した前記チャネルの周波数に周波数変換する局部発振信号を生成するステップと、
前記局部発振信号により送信信号または受信信号を周波数変換して前記第２の通信方式の信号として送信または受信するステップと、
を具備する通信方法。
【発明の詳細な説明】
【技術分野】
【０００１】
本発明は、通信装置及び通信方法に関し、例えばＷ−ＣＤＭＡ（Wideband Code Division Multiple Access）、ブルートゥース（Bluetooth）（登録商標）及びＧＰＳ（Global Positioning System）の３つの無線システムを同時に使用可能な通信装置及び通信方法に関する。
【背景技術】
【０００２】
近年、携帯電話等の通信装置の高機能化が進み、１台の通信装置が複数の無線システムを用いて送受信可能になっている。複数の無線システムを用いて送受信可能な通信装置は、図１９に示すような使用方法が考えられる。図１９は、複数の無線システムに対応した通信装置の使用方法を説明する図である。図１９より、ブルートゥースのヘッドセットを使ってＷ−ＣＤＭＡでの通話を行いながら、ＧＰＳで現在位置の確認を行う使用方法が考えられる。
【０００３】
また、ブルートゥースのレシーバで音楽を聴きながらＧＰＳによるナビゲーションサービスを受け、さらにＷ−ＣＤＭＡでメール送信を行う使用方法が考えられる。
【０００４】
また、ブルートゥースのレシーバで音楽を聴きながらＷ−ＣＤＭＡで位置情報の提供の要求を受け、ＧＰＳで現在位置を測位してＷ−ＣＤＭＡで現在位置情報を送信する使用方法が考えられる。
【０００５】
上記のように複数の無線システムを同時に使用する際に、Ｗ−ＣＤＭＡの信号とブルートゥースの信号により生じる相互変調歪みが、ＧＰＳの受信周波数と干渉する状態が起こり得る。
【０００６】
図２０は、Ｗ−ＣＤＭＡの信号とブルートゥースの信号により生じる相互変調歪みがＧＰＳの受信周波数と干渉する状態を示す図である。
【０００７】
図２０より、Ｗ−ＣＤＭＡの送信チャネル１（ＣＨ１）は、８３２．５ＭＨｚであり、Ｗ−ＣＤＭＡの送信チャネル２（ＣＨ２）は、８３７．５ＭＨｚである。また、ブルートゥースでは、複数のチャネルを所定の順序で選択し、選択したチャネルを用いて通信を行う方式であり、各チャネルは、２４０２ＭＨｚ〜２４８０ＭＨｚの帯域に存在する。また、ＧＰＳの受信周波数は、１５７５．４２ＭＨｚである。
【０００８】
この際、Ｗ−ＣＤＭＡの送信チャネル１の信号とブルートゥースの信号により生じる相互変調歪みは、１５６９．５ＭＨｚ〜１６４７．５ＭＨｚに生じ、ＧＰＳの受信周波数と干渉する。また、Ｗ−ＣＤＭＡの送信チャネル２の信号とブルートゥースの信号により生じる相互変調歪みは、１５６４．５ＭＨｚ〜１６４２．５ＭＨｚに生じ、ＧＰＳの受信周波数と干渉する。
【０００９】
また、相互変調歪みがＧＰＳの受信周波数帯域と干渉する状態を防ぐ方法として、特許文献１が知られている。
【００１０】
特許文献１では、３つの無線システムのうち、２つの無線システムしか同時に動作しないように制御し、相互変調歪み（ＩＭ２）がＧＰＳ受信に影響を与えないようにするものである。例えば、Ｗ−ＣＤＭＡの送信時には、ブルートゥースを非動作にし、相互変調歪み（ＩＭ２）の発生を抑制することにより、相互変調歪みとＧＰＳ受信周波数との干渉を回避する。
【特許文献１】特許第３５６０１４９号公報
【発明の開示】
【発明が解決しようとする課題】
【００１１】
しかしながら、特許文献１の無線システムにおいては、３つの無線システムを同時に使用できないという問題がある。
【００１２】
本発明はかかる点に鑑みてなされたものであり、複数のチャネルを用いて通信を行う無線システムにおいて、適切なチャネル選択を行うことにより、少なくとも３つの無線システムを同時に使用することができる通信装置及び通信方法を提供することを目的とする。
【課題を解決するための手段】
【００１３】
本発明の通信装置は、第１の通信方式の信号と第２の通信方式の各チャネルの信号とにより生じる相互変調歪みが第３の通信方式の受信周波数と干渉しない前記チャネルの選択順序を設定するパタン設定手段と、前記パタン設定手段が設定した前記選択順序で前記チャネルを順次選択し、選択した前記チャネルの周波数に周波数変換する局部発振信号を生成する周波数シンセサイザと、前記局部発振信号により送信信号または受信信号を周波数変換して前記第２の通信方式の信号として送信または受信する通信手段と、を具備する構成を採る。
【００１４】
本発明の通信方法は、第１の通信方式の信号と第２の通信方式の各チャネルの信号とにより生じる相互変調歪みが第３の通信方式の受信周波数と干渉しない前記チャネルの選択順序を設定するステップと、設定した前記選択順序で前記チャネルを順次選択し、選択した前記チャネルの周波数に周波数変換する局部発振信号を生成するステップと、前記局部発振信号により送信信号または受信信号を周波数変換して前記第２の通信方式の信号として送信または受信するステップと、を具備するようにした。
【発明の効果】
【００１５】
本発明によれば、複数のチャネルを用いて通信を行う無線システムにおいて、適切なチャネル選択を行うことにより、少なくとも３つの無線システムを同時に使用することができる。
【発明を実施するための最良の形態】
【００１６】
以下、本発明の実施の形態について、図面を参照して詳細に説明する。
【００１７】
（実施の形態１）
図１は、本発明の実施の形態１に係る通信装置１００の構成を示すブロック図である。
【００１８】
Ｗ−ＣＤＭＡアンテナ部１０１は、受信したＷ−ＣＤＭＡ通信方式の信号をデュプレクサ部１０２へ出力する。また、Ｗ−ＣＤＭＡアンテナ部１０１は、デュプレクサ部１０２から入力したＷ−ＣＤＭＡ通信方式の送信信号を送信する。
【００１９】
デュプレクサ部１０２は、Ｗ−ＣＤＭＡＲＦ送信部１０５から入力した送信信号とＷ−ＣＤＭＡアンテナ部１０１から入力した受信信号をフィルタで分離する。そして、デュプレクサ部１０２は、Ｗ−ＣＤＭＡＲＦ送信部１０５から入力した送信信号をＷ−ＣＤＭＡアンテナ部１０１へ出力し、Ｗ−ＣＤＭＡアンテナ部１０１から入力した受信信号をＷ−ＣＤＭＡＲＦ受信部１０４へ出力する。
【００２０】
Ｗ−ＣＤＭＡ周波数シンセサイザ部１０３は、Ｗ−ＣＤＭＡＲＦ受信部１０４が受信する高周波信号の受信周波数とＷ−ＣＤＭＡＲＦ送信部１０５が送信する高周波信号の送信周波数のＷ−ＣＤＭＡべースバンド部１０６からの通知を受けて、Ｗ−ＣＤＭＡＲＦ受信部１０４が受信する高周波信号、及びＷ−ＣＤＭＡＲＦ送信部１０５が送信する高周波信号の周波数を決定する局部発振信号を生成する。そして、Ｗ−ＣＤＭＡ周波数シンセサイザ部１０３は、生成した各々の局部発振信号をＷ−ＣＤＭＡＲＦ受信部１０４またはＷ−ＣＤＭＡＲＦ送信部１０５へ出力する。
【００２１】
Ｗ−ＣＤＭＡＲＦ受信部１０４は、デュプレクサ部１０２から入力したＷ−ＣＤＭＡ通信方式の受信信号を、Ｗ−ＣＤＭＡ周波数シンセサイザ部１０３から入力した局部発振信号により、高周波信号からベースバンド信号に周波数変換する。そして、Ｗ−ＣＤＭＡＲＦ受信部１０４は、周波数変換した受信信号をＷ−ＣＤＭＡベースバンド部１０６へ出力する。
【００２２】
Ｗ−ＣＤＭＡＲＦ送信部１０５は、Ｗ−ＣＤＭＡベースバンド部１０６から入力したＷ−ＣＤＭＡ通信方式の送信信号を、Ｗ−ＣＤＭＡ周波数シンセサイザ部１０３から入力した局部発振信号により、ベースバンド信号から高周波信号に周波数変換する。そして、Ｗ−ＣＤＭＡＲＦ送信部１０５は、周波数変換した送信信号をデュプレクサ部１０２へ出力する。
【００２３】
Ｗ−ＣＤＭＡベースバンド部１０６は、Ｗ−ＣＤＭＡＲＦ受信部１０４から入力したＷ−ＣＤＭＡ通信方式の受信信号のベースバンド信号処理を行ってＣＰＵ部１３０へ出力する。また、Ｗ−ＣＤＭＡベースバンド部１０６は、ＣＰＵ部１３０から入力したＷ−ＣＤＭＡ通信方式の送信信号のベースバンド信号処理を行ってＷ−ＣＤＭＡＲＦ送信部１０５へ出力する。また、Ｗ−ＣＤＭＡベースバンド部１０６は、Ｗ−ＣＤＭＡＲＦ受信部１０４が受信する高周波信号の受信周波数とＷ−ＣＤＭＡＲＦ送信部１０５が送信する高周波信号の送信周波数をＷ−ＣＤＭＡ周波数シンセサイザ部１０３へ通知する。
【００２４】
ブルートゥースアンテナ部１１１は、所定帯域内の複数のチャネルの中から順次選択したチャネルで通信を行うブルートゥースの信号を受信してアンテナスイッチ部１１２へ出力する。また、ブルートゥースアンテナ部１１１は、アンテナスイッチ部１１２から入力したブルートゥースの信号を送信する。
【００２５】
アンテナスイッチ部１１２は、ブルートゥースアンテナ部１１１から入力した受信信号のブルートゥースＲＦ受信部１１４への出力と、ブルートゥースＲＦ送信部１１５から入力した送信信号のブルートゥースアンテナ部１１１への出力とを、送受信タイミング信号を用いて切り替える。
【００２６】
ブルートゥース周波数シンセサイザ部１１３は、後述するブルートゥースホッピングパタン設定部１１７からホッピングパタンを取得する。また、ブルートゥース周波数シンセサイザ部１１３は、取得したホッピングパタンの選択順序でチャネルを順次選択し、選択したチャネルの周波数に周波数変換する局部発振信号を生成する。そして、ブルートゥース周波数シンセサイザ部１１３は、生成した局部発振信号をブルートゥースＲＦ受信部１１４またはブルートゥースＲＦ送信部１１５へ出力する。
【００２７】
ブルートゥースＲＦ受信部１１４は、アンテナスイッチ部１１２から入力したブルートゥースの受信信号を、ブルートゥース周波数シンセサイザ部１１３から入力する局部発振信号により、高周波信号からベースバンド信号に周波数変換する。そして、ブルートゥースＲＦ受信部１１４は、周波数変換した受信信号をブルートゥースベースバンド部１１６へ出力する。
【００２８】
ブルートゥースＲＦ送信部１１５は、ブルートゥースベースバンド部１１６から入力したブルートゥースの送信信号を、ブルートゥース周波数シンセサイザ部１１３から入力した局部発振信号により、ベースバンド信号から高周波信号に周波数変換する。そして、ブルートゥースＲＦ送信部１１５は、周波数変換した送信信号をアンテナスイッチ部１１２へ出力する。
【００２９】
ブルートゥースベースバンド部１１６は、ブルートゥースＲＦ受信部１１４から入力した受信信号のベースバンド信号処理を行ってＣＰＵ部１３０へ出力する。また、ブルートゥースベースバンド部１１６は、ＣＰＵ部１３０から入力した送信信号のベースバンド信号処理を行ってブルートゥースＲＦ送信部１１５へ出力する。
【００３０】
ブルートゥースホッピングパタン設定部１１７は、通信装置１００に固有のブルートゥースアドレスに基づいて、所定帯域内の複数のチャネルの中から、選択するチャネルの選択順序をホッピングパタンとして設定する。また、ブルートゥースホッピングパタン設定部１１７は、設定したホッピングパタンの内、Ｗ−ＣＤＭＡ通信方式の信号とブルートゥースの信号とにより生じる相互変調歪みが、ＧＰＳの受信周波数と干渉する周波数のチャネルをスキップする（除く）ことにより、Ｗ−ＣＤＭＡ通信方式の信号とブルートゥースの信号とにより生じる相互変調歪みが、ＧＰＳの受信周波数と干渉しないホッピングパタン（チャネルの選択順序）を設定する。そして、ブルートゥースホッピングパタン設定部１１７は、設定したホッピングパタンをブルートゥース周波数シンセサイザ部１１３へ出力する。ここで、ＧＰＳの受信周波数と干渉する周波数は、ブルートゥースの各チャネルの周波数から、Ｗ−ＣＤＭＡ通信方式の送信チャネルの周波数またはＷ−ＣＤＭＡ通信方式の受信チャネルの周波数を減算することにより求めることができる。従って、各無線システムにおける使用周波数をあらかじめ認識していれば、上記の計算により、ＧＰＳの受信周波数と干渉する周波数を知ることができる。これより、ブルートゥースホッピングパタン設定部１１７は、上記の計算により求めたＷ−ＣＤＭＡのチャネル毎（周波数毎）のスキップするチャネルをあらかじめ記憶するか、または、ＣＰＵ部１３０で上記の計算により求めたＷ−ＣＤＭＡのチャネル毎（周波数毎）のスキップするチャネルの設定の指示を所定のタイミングでＣＰＵ部１３０より受ける。なお、ブルートゥースホッピングパタン設定部１１７の詳細な構成については後述する。
【００３１】
ＧＰＳアンテナ部１２１は、図示しないＧＰＳ衛星から送信された信号を受信して、受信信号をＧＰＳＲＦ受信部１２２へ出力する。
【００３２】
ＧＰＳＲＦ受信部１２２は、ＧＰＳアンテナ部１２１から入力したＧＰＳの受信信号を高周波数からベースバンド周波数に周波数変換する。そして、ＧＰＳＲＦ受信部１２２は、周波数変換した受信信号をＧＰＳベースバンド部１２３へ出力する。
【００３３】
ＧＰＳベースバンド部１２３は、ＧＰＳＲＦ受信部１２２から入力した受信信号のベースバンド信号処理を行ってＣＰＵ部１３０へ出力する。
【００３４】
ＣＰＵ部１３０は、Ｗ−ＣＤＭＡベースバンド部１０６から入力した受信信号、ブルートゥースベースバンド部１１６から入力した受信信号、またはＧＰＳベースバンド部１２３から入力した受信信号に対して、復調及び復号等の処理を実行する。また、ＣＰＵ部１３０は、符号化及び変調した送信信号をＷ−ＣＤＭＡベースバンド部１０６及びブルートゥースベースバンド部１１６へ出力する。また、ＣＰＵ部１３０は、ブルートゥースホッピングパタン設定部１１７に対して、所定のタイミングにてホッピングパタンを設定する指示を与える。
【００３５】
次に、ブルートゥースホッピングパタン設定部１１７の構成について、図２を用いて説明する。図２は、ブルートゥースホッピングパタン設定部１１７の構成を示すブロック図である。
【００３６】
ブルートゥースアドレス記憶部２０１は、通信装置１００に固有のブルートゥースアドレスを記憶している。
【００３７】
ホッピングパタン生成部２０２は、ブルートゥースアドレス記憶部２０１に記憶しているブルートゥースアドレスを読み出して、読み出したブルートゥースアドレスに基づいてホッピングパタンを設定する。そして、ホッピングパタン生成部２０２は、設定したホッピングパタンをホッピングパタン制御部２０３へ出力する。
【００３８】
ホッピングパタン制御部２０３は、ＣＰＵ部１３０からの指示により、ホッピングパタン生成部２０２から入力したホッピングパタンのうち、Ｗ−ＣＤＭＡ通信方式の信号とブルートゥースの信号とにより生じる相互変調歪みが、ＧＰＳの受信周波数と干渉する周波数のチャネル、即ちスキップするチャネル（ＣＨ）を別のチャネルに変更する制御を行い、最終的なホッピングパタンを設定する。そして、ホッピングパタン制御部２０３は、設定した最終的なホッピングパタンをブルートゥース周波数シンセサイザ部１１３へ出力する。
【００３９】
次に、通信装置１００における周波数ホッピング方式の通信方法について説明する。
【００４０】
最初に、通信装置１００は、ブルートゥースベースバンド部１１６等のブルートゥースの受信信号及び送信信号を処理する回路を起動する。
【００４１】
次に、ブルートゥースホッピングパタン設定部１１７のホッピングパタン生成部２０２は、通信装置１００の固有のブルートゥースアドレスに基づいて、ホッピングパタンを設定する。
【００４２】
図３は、Ｗ−ＣＤＭＡ通信方式の送信チャネルとブルートゥースのスキップするチャネルとの関係を示す図である。また、図４は、Ｗ−ＣＤＭＡ通信方式の受信チャネルとブルートゥースのスキップするチャネルとの関係を示す図である。また、図５は、各通信システムの使用周波数を示す図である。
【００４３】
図３及び図５より、Ｗ−ＣＤＭＡ通信方式の送信チャネルは、送信チャネル１として８３２．５ＭＨｚを使用し、送信チャネル２として８３７．５ＭＨｚを使用する。また、ブルートゥースは、２４０２ＭＨｚ〜２４８０ＭＨｚを使用し、ＧＰＳは、１５７５．４２ＭＨｚを使用する。
【００４４】
この場合、図３及び図５に示すように、８３２．５ＭＨｚのＷ−ＣＤＭＡ通信方式の送信チャネル１の信号とブルートゥースの２４０７ＭＨｚ〜２４０９ＭＨｚで使用するチャネルの信号とによって生じる相互変調歪みは、１５７４．５ＭＨｚ〜１５７６．５ＭＨｚとなり、ＧＰＳの受信周波数１５７５．４２ＭＨｚと干渉する。また、８３７．５ＭＨｚのＷ−ＣＤＭＡ通信方式の送信チャネル２の信号とブルートゥースの２４１２ＭＨｚ〜２４１４ＭＨｚで使用するチャネルの信号とによって生じる相互変調歪みは、１５７４．５ＭＨｚ〜１５７６．５ＭＨｚとなり、ＧＰＳの受信周波数１５７５．４２ＭＨｚと干渉する。従って、ブルートゥースの２４０７ＭＨｚ〜２４０９ＭＨｚで使用するチャネル及び２４１２ＭＨｚ〜２４１４ＭＨｚで使用するチャネルをスキップすることにより、Ｗ−ＣＤＭＡ通信方式の送信チャネル１、２の信号とブルートゥースで使用するチャネルの信号とにより生ずる相互変調歪みが、ＧＰＳの受信周波数と干渉することを防ぐことができる。
【００４５】
Ｗ−ＣＤＭＡ通信方式の送信チャネル１の信号とブルートゥースの信号とにより生じる相互変調歪みは、１５６９．５ＭＨｚ〜１６４７．５ＭＨｚ帯に発生し、Ｗ−ＣＤＭＡ通信方式の送信チャネル２の信号とブルートゥースの信号とにより生じる相互変調歪みは、１５６４．５ＭＨｚ〜１６４２．５ＭＨｚ帯に発生する。
【００４６】
また、図４及び図５より、Ｗ−ＣＤＭＡ通信方式の受信チャネルは、受信チャネル１として８７７．５ＭＨｚを使用し、受信チャネル２として８８２．５ＭＨｚを使用する。また、ブルートゥースは、２４０２ＭＨｚ〜２４８０ＭＨｚを使用し、ＧＰＳは、１５７５．４２ＭＨｚを使用する。
【００４７】
この場合、図４及び図５に示すように、８７７．５ＭＨｚのＷ−ＣＤＭＡ通信方式の受信チャネル１の信号とブルートゥースの２４５２ＭＨｚ〜２４５４ＭＨｚで使用するチャネルの信号とによって生じる相互変調歪みは、１５７４．５ＭＨｚ〜１５７６．５ＭＨｚとなり、ＧＰＳの受信周波数１５７５．４２ＭＨｚと干渉する。また、８８２．５ＭＨｚのＷ−ＣＤＭＡ通信方式の受信チャネル２の信号とブルートゥースの２４５７ＭＨｚ〜２４５９ＭＨｚで使用するチャネルの信号とによって生じる相互変調歪みは、１５７４．５ＭＨｚ〜１５７６．５ＭＨｚとなり、ＧＰＳの受信周波数１５７５．４２ＭＨｚと干渉する。従って、ブルートゥースの２４５２ＭＨｚ〜２４５４ＭＨｚで使用するチャネル及び２４５７ＭＨｚ〜２４５９ＭＨｚで使用するチャネルをスキップすることにより、Ｗ−ＣＤＭＡ通信方式の受信チャネル１、２の信号とブルートゥースで使用するチャネルの信号とにより生ずる相互変調歪みが、ＧＰＳの受信周波数と干渉することを防ぐことができる。
【００４８】
Ｗ−ＣＤＭＡ通信方式の受信チャネル１の信号とブルートゥースの信号とにより生じる相互変調歪みは、１５２４．５ＭＨｚ〜１６０２．５ＭＨｚ帯に発生し、Ｗ−ＣＤＭＡ通信方式の受信チャネル２の信号とブルートゥースの信号とにより生じる相互変調歪みは、１５１９．５ＭＨｚ〜１５９７．５ＭＨｚ帯に発生する。
【００４９】
通信装置１００の動作の説明に戻って、次に、ブルートゥースホッピングパタン設定部１１７のホッピングパタン制御部２０３は、ホッピングパタン生成部２０２で設定したホッピングパタンにおいて、２４０７ＭＨｚ〜２４０９ＭＨｚで使用するチャネル、２４１２ＭＨｚ〜２４１４ＭＨｚで使用するチャネル、２４５２ＭＨｚ〜２４５４ＭＨｚで使用するチャネル及び２４５７ＭＨｚ〜２４５９ＭＨｚで使用するチャネルをスキップするホッピングパタンを設定する。
【００５０】
図６は、ホッピングパタンを示す図である。また、図６（ａ）は、ホッピングパタン生成部２０２で設定したホッピングパタンを示す図である。図６（ａ）より、ホッピングパタン生成部２０２が設定したホッピングパタンは、チャネル１（２４４１ＭＨｚ）、チャネル２（２４０５ＭＨｚ）、・・・の順番でホッピングするものである。また、ホッピングパタン制御部２０３は、ホッピングパタン生成部２０２が設定したホッピングパタンの内、チャネル３（２４０９ＭＨｚ）とチャネル６（２４０７ＭＨｚ）をスキップするホッピングパタンを設定する。さらに、ホッピングパタン制御部２０３は、スキップしたチャネル３（２４０９ＭＨｚ）の代わりに、新たなチャネル３（２４４０ＭＨｚ）を設定するとともに、スキップしたチャネル６（２４０７ＭＨｚ）の代わりに、新たなチャネル６（２４３８ＭＨｚ）を設定することにより、図６（ｂ）に示す最終的なホッピングパタンを設定する。
【００５１】
このように、本実施の形態によれば、複数のチャネルを用いて通信を行う無線システムにおいて、適切なチャネル選択を行うことにより、少なくとも３つの無線システムを同時に使用することができる。特に、Ｗ−ＣＤＭＡの送信チャネル及び受信チャネルの周波数の信号とブルートゥースの所定のチャネルの信号とにより生じた相互変調歪みが、ＧＰＳの受信周波数帯域と干渉することを防ぐことができる。
【００５２】
なお、本実施の形態１において、Ｗ−ＣＤＭＡ通信方式の送信チャネルと受信チャネルの双方の信号とブルートゥースの信号により生じる相互変調歪みが、ＧＰＳの受信周波数と干渉するチャネルをスキップしたが、本発明はこれに限らず、Ｗ−ＣＤＭＡ通信方式の送信チャネルと受信チャネルの何れか一方の信号とブルートゥースの信号により生じる相互変調歪みが、ＧＰＳの受信周波数と干渉するチャネルをスキップするようにしても良い。
【００５３】
（実施の形態２）
図７は、本発明の実施の形態２に係る通信装置７００の構成を示すブロック図である。
【００５４】
図７に示す通信装置７００は、図１に示す実施の形態１に係る通信装置１００に対して、ブルートゥースホッピングパタン設定部１１７の代わりにブルートゥースホッピングパタン設定部７０１を有する。なお、図７において、図１と同一構成である部分には同一の符号を付してその説明を省略する。
【００５５】
本実施の形態では、Ｗ−ＣＤＭＡの通信中の場合にのみ、Ｗ−ＣＤＭＡ通信方式の信号とブルートゥースの信号とにより生じる相互変調歪みが、ＧＰＳの受信周波数と干渉する周波数のチャネルをスキップするホッピングパタンを設定することを特徴とするものである。
【００５６】
Ｗ−ＣＤＭＡベースバンド部１０６は、Ｗ−ＣＤＭＡＲＦ受信部１０４から入力したＷ−ＣＤＭＡ通信方式の受信信号のベースバンド信号処理を行ってＣＰＵ部１３０へ出力する。また、Ｗ−ＣＤＭＡベースバンド部１０６は、ＣＰＵ部１３０から入力したＷ−ＣＤＭＡ通信方式の送信信号のベースバンド信号処理を行ってＷ−ＣＤＭＡＲＦ送信部１０５へ出力する。また、Ｗ−ＣＤＭＡベースバンド部１０６は、ＣＰＵ部１３０から送信信号が入力した際に、Ｗ−ＣＤＭＡ通信方式により送信を開始することをブルートゥースホッピングパタン設定部７０１に通知する。また、Ｗ−ＣＤＭＡベースバンド部１０６は、ＣＰＵ部１３０からの送信信号の入力が終了した際に、Ｗ−ＣＤＭＡ通信方式による送信が終了したことをブルートゥースホッピングパタン設定部７０１に通知する。
【００５７】
ＣＰＵ部１３０は、Ｗ−ＣＤＭＡベースバンド部１０６から入力した受信信号、ブルートゥースベースバンド部１１６から入力した受信信号、またはＧＰＳベースバンド部１２３から入力した受信信号に対して、復調及び復号等の処理を実行する。また、ＣＰＵ部１３０は、符号化及び変調した送信信号をＷ−ＣＤＭＡベースバンド部１０６及びブルートゥースベースバンド部１１６へ出力する。また、ＣＰＵ部１３０は、ブルートゥースホッピングパタン設定部７０１に対して、所定のタイミングにてホッピングパタンを設定する指示を与える。
【００５８】
ブルートゥースホッピングパタン設定部７０１は、Ｗ−ＣＤＭＡ通信方式により送信を開始する通知をＷ−ＣＤＭＡベースバンド部１０６から受け取った場合に、通信装置７００に固有のブルートゥースアドレスに基づいて設定したホッピングパタンの内、Ｗ−ＣＤＭＡ通信方式の信号とブルートゥースの信号とにより生じる相互変調歪みが、ＧＰＳの受信周波数と干渉する周波数のチャネルをスキップしたホッピングパタンを設定する。この際、ブルートゥースホッピングパタン設定部７０１は、Ｗ−ＣＤＭＡのチャネル毎（周波数毎）のスキップするチャネルをあらかじめ記憶するか、または、スキップするチャネルの設定の指示を所定のタイミングでＣＰＵ部１３０から受ける。そして、ブルートゥースホッピングパタン設定部７０１は、設定したホッピングパタンをブルートゥース周波数シンセサイザ部１１３へ出力する。一方、ブルートゥースホッピングパタン設定部７０１は、Ｗ−ＣＤＭＡ通信方式の送信終了の通知をＷ−ＣＤＭＡベースバンド部１０６から受け取った場合に、通信装置７００に固有のブルートゥースアドレスに基づいて、ホッピングパタンを設定する。そして、ブルートゥースホッピングパタン設定部７０１は、設定したホッピングパタンをブルートゥース周波数シンセサイザ部１１３へ出力する。なお、ブルートゥースホッピングパタン設定部７０１の詳細な構成については後述する。
【００５９】
ブルートゥース周波数シンセサイザ部１１３は、ブルートゥースホッピングパタン設定部７０１からホッピングパタンを取得する。また、ブルートゥース周波数シンセサイザ部１１３は、取得したホッピングパタンの選択順序でチャネルを順次選択し、選択したチャネルの周波数に周波数変換する局部発振信号を生成する。そして、ブルートゥース周波数シンセサイザ部１１３は、生成した局部発振信号をブルートゥースＲＦ受信部１１４またはブルートゥースＲＦ送信部１１５へ出力する。
【００６０】
次に、ブルートゥースホッピングパタン設定部７０１の構成について、図８を用いて説明する。図８は、ブルートゥースホッピングパタン設定部７０１の構成を示すブロック図である。なお、図８において、図２と同一構成である部分には同一の符号を付してその説明を省略する。
【００６１】
ホッピングパタン生成部２０２は、ブルートゥースアドレス記憶部２０１に記憶しているブルートゥースアドレスを読み出して、読み出したブルートゥースアドレスに基づいてホッピングパタンを設定する。そして、ホッピングパタン生成部２０２は、設定したホッピングパタンをホッピングパタン制御部８０１へ出力する。
【００６２】
ホッピングパタン制御部８０１は、Ｗ−ＣＤＭＡベースバンド部１０６よりＷ−ＣＤＭＡの送信開始の通知を受けた際には、ＣＰＵ部１３０からの指示により、ホッピングパタン生成部２０２から入力したホッピングパタンのうち、Ｗ−ＣＤＭＡ通信方式の信号とブルートゥースの信号とにより生じる相互変調歪みが、ＧＰＳの受信周波数と干渉する周波数のチャネル、即ちスキップするチャネル（ＣＨ）を別のチャネルに変更する制御を行い、最終的なホッピングパタンを設定する。そして、ホッピングパタン制御部８０１は、設定した最終的なホッピングパタンをブルートゥース周波数シンセサイザ部１１３へ出力する。一方、ホッピングパタン制御部８０１は、Ｗ−ＣＤＭＡベースバンド部１０６よりＷ−ＣＤＭＡの送信終了の通知を受けた際には、ＣＰＵ部１３０からの指示により、ホッピングパタン生成部２０２から入力したホッピングパタンをそのまま最終的なホッピングパタンとしてブルートゥース周波数シンセサイザ部１１３へ出力する。
【００６３】
次に、通信装置７００の動作について、図９を用いて説明する。図９は、通信装置７００の動作を示すフロー図である。
【００６４】
最初に、通信装置７００は、ブルートゥースベースバンド部１１６等のブルートゥースの受信信号及び送信信号を処理する回路を起動する（ステップＳＴ９０１）。
【００６５】
次に、ブルートゥースホッピングパタン設定部７０１は、Ｗ−ＣＤＭＡベースバンド部１０６からＷ−ＣＤＭＡ通信方式で送信開始する通知を受けたか否か、即ちＷ−ＣＤＭＡ送信中か否かを判定する（ステップＳＴ９０２）。
【００６６】
Ｗ−ＣＤＭＡ送信中ではない場合には、ブルートゥースホッピングパタン設定部７０１は、ステップＳＴ９０２を繰り返す。
【００６７】
一方、Ｗ−ＣＤＭＡ送信中である場合には、ブルートゥースホッピングパタン設定部７０１は、Ｗ−ＣＤＭＡ通信方式の送信チャネルの信号とブルートゥースのチャネルの信号とにより生じる相互変調歪みがＧＰＳの受信周波数帯域と干渉するブルートゥースのチャネルをスキップしたホッピングパタンを設定する（ステップＳＴ９０３）。
【００６８】
次に、ブルートゥースホッピングパタン設定部７０１は、Ｗ−ＣＤＭＡベースバンド部１０６からＷ−ＣＤＭＡの送信終了の通知を受けたか否か、即ちＷ−ＣＤＭＡ送信中か否かを判定する（ステップＳＴ９０４）。
【００６９】
Ｗ−ＣＤＭＡ送信中である場合、即ちＷ−ＣＤＭＡベースバンド部１０６からＷ−ＣＤＭＡの送信終了の通知を受け取っていない場合には、ブルートゥースホッピングパタン設定部７０１は、ステップＳＴ９０４を繰り返す。
【００７０】
一方、Ｗ−ＣＤＭＡ送信中でない場合、即ちＷ−ＣＤＭＡベースバンド部１０６からＷ−ＣＤＭＡの送信終了の通知を受け取った場合には、ブルートゥースホッピングパタン設定部７０１は、ブルートゥースのチャネルのスキップを解除する（ステップＳＴ９０５）。
【００７１】
図１０は、各通信システムの使用周波数を示す図である。図１０は、Ｗ−ＣＤＭＡ送信中ではない場合の各通信システムの使用周波数を示す図である。
【００７２】
図１０より、Ｗ−ＣＤＭＡ通信方式の送信チャネル１及び送信チャネル２は使用していないので、ＧＰＳの受信周波数である１５７５．４２ＧＨｚと干渉する相互変調歪みは生じない。なお、本実施の形態におけるＷ−ＣＤＭＡ送信中の場合の各通信システムの使用周波数を示す図は、図５と同一であるので、その説明を省略する。
【００７３】
このように、本実施の形態によれば、上記の実施の形態１の効果に加えて、Ｗ−ＣＤＭＡ送信中でない場合にはブルートゥースのチャネルをスキップしないことにより、Ｗ−ＣＤＭＡ送信中でない場合には、ブルートゥースが通信に使用できるチャネル数が増えるため、妨害波が存在する際に耐干渉性能を向上させることができる。
【００７４】
なお、本実施の形態において、Ｗ−ＣＤＭＡ通信方式の送信チャネルを使用していない場合にブルートゥースのチャネルをスキップしないようにしたが、本発明はこれに限らず、Ｗ−ＣＤＭＡ通信方式の受信チャネルを使用していない場合にブルートゥースのチャネルをスキップしないようにしても良いし、またはＷ−ＣＤＭＡ通信方式の送信チャネルと受信チャネルの双方を使用していない場合にブルートゥースのチャネルをスキップしないようにしても良い。
【００７５】
（実施の形態３）
図１１は、本発明の実施の形態３に係る通信装置の動作を示すフロー図である。なお、実施の形態３において、通信装置の構成は図７と同一構成であり、ブルートゥースホッピングパタン設定部の構成は図８と同一構成であるので、その説明を省略するとともに、図１１の説明においては、図７及び図８の符号を用いて説明する。
【００７６】
本実施の形態では、Ｗ−ＣＤＭＡの使用チャネルに応じて、ＧＰＳの受信周波数帯域と干渉する相互変調歪みを発生させるホッピングパタンのチャネルをスキップするホッピングパタンを設定することを特徴とするものである。
【００７７】
最初に、通信装置７００は、ブルートゥースベースバンド部１１６等のブルートゥースの受信信号及び送信信号を処理する回路を起動する（ステップＳＴ１１０１）。
【００７８】
次に、ブルートゥースホッピングパタン設定部７０１は、Ｗ−ＣＤＭＡベースバンド部１０６からＷ−ＣＤＭＡ通信方式で送信開始する通知を受けたか否か、即ちＷ−ＣＤＭＡ送信中か否かを判定する（ステップＳＴ１１０２）。
【００７９】
Ｗ−ＣＤＭＡ送信中ではない場合には、ブルートゥースホッピングパタン設定部７０１は、ステップＳＴ１１０２を繰り返す。
【００８０】
一方、Ｗ−ＣＤＭＡ送信中である場合には、ブルートゥースホッピングパタン設定部７０１は、Ｗ−ＣＤＭＡベースバンド部１０６に対して、Ｗ−ＣＤＭＡ通信方式で使用している送信チャネルを照会する（ステップＳＴ１１０３）。
【００８１】
次に、Ｗ−ＣＤＭＡ通信方式の送信チャネルの信号とブルートゥースのチャネルの信号とにより生じる相互変調歪みが、ＧＰＳの受信周波数帯域と干渉するブルートゥースのチャネルをスキップしたホッピングパタンを設定する（ステップＳＴ１１０４）。
【００８２】
次に、ブルートゥースホッピングパタン設定部７０１は、Ｗ−ＣＤＭＡベースバンド部１０６からＷ−ＣＤＭＡ通信方式の送信終了の通知を受けたか否か、即ちＷ−ＣＤＭＡ送信中か否かを判定する（ステップＳＴ１１０５）。
【００８３】
Ｗ−ＣＤＭＡ送信中の場合、即ちＷ−ＣＤＭＡ通信方式の送信終了の通知を受け取っていない場合には、ブルートゥースホッピングパタン設定部７０１は、ステップＳＴ１１０５を繰り返す。
【００８４】
一方、Ｗ−ＣＤＭＡ送信中ではない場合、即ちＷ−ＣＤＭＡ通信方式の送信終了の通知を受け取った場合には、ブルートゥースホッピングパタン設定部７０１は、ブルートゥースのチャネルのスキップを解除して、ＧＰＳの受信周波数帯域の干渉になる周波数のチャネルをスキップしないホッピングパタンを設定する（ステップＳＴ１１０６）。
【００８５】
図１２は、各通信システムの使用周波数を示す図である。図１２（ａ）は、８３２．５ＭＨｚの送信チャネル１を使用する場合を示すものであり、図１２（ｂ）は、８３７．５ＭＨｚの送信チャネル２を使用する場合を示すものである。
【００８６】
図１２（ａ）に示すように、Ｗ−ＣＤＭＡ通信方式で送信チャネル１を使用中の場合には、Ｗ−ＣＤＭＡ通信方式の送信チャネル１の信号とブルートゥースの２４０７．９２ＭＨｚのチャネルの信号とにより生じる相互変調歪みがＧＰＳの受信周波数帯域と干渉するので、ブルートゥースの２４０７．９２ＭＨｚのチャネルをスキップするブルートゥースホッピングパタンを設定する。
【００８７】
また、図１２（ｂ）に示すように、Ｗ−ＣＤＭＡ通信方式で送信チャネル２を使用中の場合には、Ｗ−ＣＤＭＡ通信方式の送信チャネル２の信号とブルートゥースの２４１２．９２ＭＨｚのチャネルの信号とにより生じる相互変調歪みがＧＰＳの受信周波数帯域と干渉するので、ブルートゥースの２４１２．９２ＭＨｚのチャネルをスキップするブルートゥースホッピングパタンを設定する。
【００８８】
なお、図１２（ａ）の場合には、ブルートゥースの２４１２．９２ＭＨｚのチャネルをスキップしないブルートゥースホッピングパタンを設定し、図１２（ｂ）の場合には、ブルートゥースの２４０７．９２ＭＨｚのチャネルをスキップしないブルートゥースホッピングパタンを設定する。
【００８９】
図１３は、ブルートゥースのチャネルをスキップしたホッピングパタンを示す図であり、図１４は、ブルートゥースのチャネルをスキップしないホッピングパタン、即ち通常のホッピングパタンを示す図である。
【００９０】
図１３及び図１４より、チャネルスキップしない場合には、チャネルスキップする場合に比べて、使用できるチャネル数が増えるので、妨害波が存在する際に、耐干渉性能点で有利である。即ち、図１３の方が図１４よりも耐干渉性能の点で有利である。
【００９１】
このように、本実施の形態によれば、上記の実施の形態１の効果に加えて、Ｗ−ＣＤＭＡで使用中のチャネルの信号とブルートゥースのチャネルの信号とにより生じる相互変調歪みがＧＰＳの受信周波数帯域と干渉する場合に、干渉するブルートゥースのチャネルをスキップすることにより、上記の実施の形態１に比べて、ブルートゥースが通信に使用できるチャネル数が増えるため、上記の実施の形態１よりも妨害波が存在する際に耐干渉性能を向上させることができる。
【００９２】
なお、本実施の形態において、Ｗ−ＣＤＭＡ通信方式の送信チャネルの使用チャネルに応じて、ブルートゥースのチャネルをスキップしたが、本発明はこれに限らず、Ｗ−ＣＤＭＡ通信方式の受信チャネルの使用チャネルに応じて、ブルートゥースのチャネルをスキップしても良いし、またはＷ−ＣＤＭＡ通信方式の送信チャネルと受信チャネルの双方の使用チャネルに応じて、ブルートゥースのチャネルをスキップするようにしても良い。
【００９３】
（実施の形態４）
図１５は、本発明の実施の形態４に係る通信装置１５００の構成を示すブロック図である。
【００９４】
図１５に示す通信装置１５００は、図１に示す実施の形態１に係る通信装置１００に対して、送信電力設定部１５０１を追加し、ブルートゥースホッピングパタン設定部１１７の代わりにブルートゥースホッピングパタン設定部１５０２を有する。なお、図１５において、図１と同一構成である部分には同一の符号を付してその説明を省略する。
【００９５】
本実施の形態では、Ｗ−ＣＤＭＡ通信方式の送信電力に応じて、ＧＰＳの受信周波数帯域と干渉する相互変調歪みを発生させるホッピングパタンのチャネルをスキップするホッピングパタンを設定することを特徴とするものである。
【００９６】
送信電力設定部１５０１は、所定の送信電力を設定し、Ｗ−ＣＤＭＡベースバンド部１０６に対して、設定した送信電力で送信されるように制御する。また、送信電力設定部１５０１は、設定した送信電力をブルートゥースホッピングパタン設定部１５０２へ出力する。
【００９７】
Ｗ−ＣＤＭＡベースバンド部１０６は、Ｗ−ＣＤＭＡＲＦ受信部１０４から入力したＷ−ＣＤＭＡ通信方式の受信信号のベースバンド信号処理を行ってＣＰＵ部１３０へ出力する。また、Ｗ−ＣＤＭＡベースバンド部１０６は、ＣＰＵ部１３０から入力したＷ−ＣＤＭＡ通信方式の送信信号のベースバンド信号処理を行うとともに、ベースバンド信号処理した送信信号を、送信電力設定部１５０１で設定した送信電力でＷ−ＣＤＭＡＲＦ送信部１０５へ出力する。また、Ｗ−ＣＤＭＡベースバンド部１０６は、Ｗ−ＣＤＭＡＲＦ受信部１０４が受信する高周波信号の受信周波数とＷ−ＣＤＭＡＲＦ送信部１０５が送信する高周波信号の送信周波数をＷ−ＣＤＭＡ周波数シンセサイザ部１０３へ通知する。
【００９８】
ブルートゥースホッピングパタン設定部１５０２は、Ｗ−ＣＤＭＡ通信方式により送信を開始する通知をＷ−ＣＤＭＡベースバンド部１０６から受け取った場合に、通信装置１５００に固有のブルートゥースアドレスに基づいて、ホッピングパタンを設定する。また、ブルートゥースホッピングパタン設定部１５０２は、送信電力設定部１５０１から受け取った送信電力がしきい値より大きい場合に、設定したホッピングパタンの内、Ｗ−ＣＤＭＡ通信方式の信号とブルートゥースの信号とにより生じる相互変調歪みが、ＧＰＳの受信周波数と干渉する周波数のチャネルをスキップしたホッピングパタンを設定する。この際、ブルートゥースホッピングパタン設定部１５０２は、Ｗ−ＣＤＭＡのチャネル毎（周波数毎）のスキップするチャネルをあらかじめ記憶している。そして、ブルートゥースホッピングパタン設定部１５０２は、設定したホッピングパタンをブルートゥース周波数シンセサイザ部１１３へ出力する。一方、ブルートゥースホッピングパタン設定部１５０２は、送信電力設定部１５０１から受け取った送信電力がしきい値以下の場合、またはＷ−ＣＤＭＡ通信方式の送信終了の通知をＷ−ＣＤＭＡベースバンド部１０６から受け取った場合に、通信装置１５００に固有のブルートゥースアドレスに基づいて、ホッピングパタンを設定する。そして、ブルートゥースホッピングパタン設定部１５０２は、設定したホッピングパタンをブルートゥース周波数シンセサイザ部１１３へ出力する。なお、ブルートゥースホッピングパタン設定部１５０２の詳細な構成については後述する。
【００９９】
ブルートゥース周波数シンセサイザ部１１３は、後述するブルートゥースホッピングパタン設定部１５０２からホッピングパタンを取得する。また、ブルートゥース周波数シンセサイザ部１１３は、取得したホッピングパタンの選択順序でチャネルを順次選択し、選択したチャネルの周波数に周波数変換する局部発振信号を生成する。そして、ブルートゥース周波数シンセサイザ部１１３は、生成した局部発振信号をブルートゥースＲＦ受信部１１４またはブルートゥースＲＦ送信部１１５へ出力する。
【０１００】
次に、ブルートゥースホッピングパタン設定部１５０２の構成について、図１６を用いて説明する。図１６は、ブルートゥースホッピングパタン設定部１５０２の構成を示すブロック図である。なお、図１６において、図２と同一構成である部分には同一の符号を付してその説明を省略する。
【０１０１】
ホッピングパタン生成部２０２は、ブルートゥースアドレス記憶部２０１に記憶しているブルートゥースアドレスを読み出して、読み出したブルートゥースアドレスに基づいてホッピングパタンを設定する。そして、ホッピングパタン生成部２０２は、設定したホッピングパタンをホッピングパタン制御部１６０１へ出力する。
【０１０２】
ホッピングパタン制御部１６０１は、Ｗ−ＣＤＭＡ通信方式により送信する通知をＷ−ＣＤＭＡベースバンド部１０６から受け取った場合、且つ送信電力設定部１５０１から受け取った送信電力がしきい値より大きい場合には、ＣＰＵ部１３０からの指示により、ホッピングパタン生成部２０２から入力したホッピングパタンのうち、スキップするチャネル（ＣＨ）を、ＧＰＳの受信周波数と干渉しない別のチャネルに変更する制御を行い、最終的なホッピングパタンを設定する。そして、ホッピングパタン制御部１６０１は、設定した最終的なホッピングパタンをブルートゥース周波数シンセサイザ部１１３へ出力する。一方、ホッピングパタン制御部１６０１は、Ｗ−ＣＤＭＡ通信方式の送信終了の通知をＷ−ＣＤＭＡベースバンド部１０６から受け取った場合、または送信電力設定部１５０１から受け取った送信電力がしきい値以下の場合には、ＣＰＵ部１３０からの指示により、ホッピングパタン生成部２０２から入力したホッピングパタンをそのまま最終的なホッピングパタンとしてブルートゥース周波数シンセサイザ部１１３へ出力する。
【０１０３】
次に、通信装置１５００の動作について、図１７を用いて説明する。図１７は、通信装置１５００の動作を示すフロー図である。
【０１０４】
最初に、通信装置１５００は、ブルートゥースベースバンド部１１６等のブルートゥースの受信信号及び送信信号を処理する回路を起動する（ステップＳＴ１７０１）。
【０１０５】
次に、ブルートゥースホッピングパタン設定部１５０２は、Ｗ−ＣＤＭＡベースバンド部１０６からＷ−ＣＤＭＡ通信方式で送信開始する通知を受けたか否か、即ちＷ−ＣＤＭＡ送信中か否かを判定する（ステップＳＴ１７０２）。
【０１０６】
Ｗ−ＣＤＭＡ送信中ではない場合には、ブルートゥースホッピングパタン設定部１５０２は、ステップＳＴ１７０２を繰り返す。
【０１０７】
一方、Ｗ−ＣＤＭＡ送信中である場合には、ブルートゥースホッピングパタン設定部１５０２は、送信電力設定部１５０１から受け取った送信電力がしきい値より大きいか否か判定する（ステップＳＴ１７０３）。
【０１０８】
送信電力設定部１５０１から受け取った送信電力がしきい値より大きい場合には（ステップＳＴ１７０４）、Ｗ−ＣＤＭＡ通信方式で使用している送信チャネルを照会する（ステップＳＴ１７０５）。
【０１０９】
次に、Ｗ−ＣＤＭＡ通信方式の送信チャネルの信号とブルートゥースのチャネルの信号とにより生じる相互変調歪みがＧＰＳの受信周波数帯域と干渉するブルートゥースのチャネルをスキップしたホッピングパタンを設定し（ステップＳＴ１７０６）、通信装置１５００は処理を完了する（ステップＳＴ１７０７）。
【０１１０】
一方、ステップＳＴ１７０３において、送信電力設定部１５０１から受け取った送信電力がしきい値以下の場合には、ブルートゥースホッピングパタン設定部１５０２は、Ｗ−ＣＤＭＡの送信パワーは小さいものと判断し（ステップＳＴ１７０８）、ブルートゥースのチャネルのスキップを解除し、通信装置１５００は処理を完了する（ステップＳＴ１７０７）。
【０１１１】
通信装置１５００は、Ｗ−ＣＤＭＡ通信方式の使用チャネルの送信電力がしきい値より大きい場合には、図１２と同様になる。
【０１１２】
一方、通信装置１５００は、Ｗ−ＣＤＭＡ通信方式の使用チャネルの送信電力がしきい値以下の場合には、図１８に示すようになる。図１８は、各通信システムの使用周波数を示す図である。図１８に示すように、Ｗ−ＣＤＭＡ通信方式の使用チャネルの送信電力がしきい値以下の場合の、Ｗ−ＣＤＭＡ通信方式の信号とブルートゥースの信号とにより生じる相互変調歪みのレベルＬ１は、Ｗ−ＣＤＭＡ通信方式の使用チャネルの送信電力がしきい値より大きい場合の、Ｗ−ＣＤＭＡ通信方式の信号とブルートゥースの信号とにより生じる相互変調歪みのレベルＬ２に比べて低いので（Ｌ１＜Ｌ２）、ブルートゥースのチャネルをスキップしなくてもＧＰＳの受信帯域に及ぼす影響をほぼ無視することができる。
【０１１３】
このように、本実施の形態によれば、上記の実施の形態１及び実施の形態３の効果に加えて、Ｗ−ＣＤＭＡ通信方式の送信信号の送信電力が小さい場合には、ブルートゥースのチャネルをスキップしないので、上記の実施の形態１及び実施の形態３に比べて、ブルートゥースが通信に使用できるチャネル数が増えるため、上記の実施の形態１よりも妨害波が存在する際に耐干渉性能を向上させることができる。
【０１１４】
なお、本実施の形態において、Ｗ−ＣＤＭＡ通信方式の送信チャネルの信号とブルートゥースの信号により生じた相互変調歪みが、ＧＰＳの受信周波数と干渉する場合にブルートゥースのチャネルをスキップしたが、本発明はこれに限らず、Ｗ−ＣＤＭＡ通信方式の受信チャネルの信号とブルートゥースの信号により生じる相互変調歪みが、ＧＰＳの受信周波数と干渉する場合、またはＷ−ＣＤＭＡ通信方式の送信チャネルと受信チャネルの双方のチャネルの信号とブルートゥースの信号により生じた相互変調歪みが、ＧＰＳの受信周波数と干渉する場合にブルートゥースのチャネルをスキップしても良い。
【０１１５】
上記実施の形態１〜実施の形態４において、Ｗ−ＣＤＭＡ、ブルートゥース及びＧＰＳの各無線システムを用いて通信を行う場合について説明したが、本発明はこれに限らず、周波数ホッピングを行う無線システムを含む任意の無線システムを用いて通信を行う場合に適用することができる。
【産業上の利用可能性】
【０１１６】
本発明にかかる通信装置及び通信方法は、例えばＷ−ＣＤＭＡ、ブルートゥース及びＧＰＳの３つの無線システムを同時に使用するのに好適である。
【図面の簡単な説明】
【０１１７】
【図１】本発明の実施の形態１に係る通信装置の構成を示すブロック図
【図２】本発明の実施の形態１に係るブルートゥースホッピングパタン設定部の構成を示すブロック図
【図３】本発明の実施の形態１に係るＷ−ＣＤＭＡ通信方式の使用チャネルとブルートゥースのスキップするチャネルとの関係を示す図
【図４】本発明の実施の形態１に係るＷ−ＣＤＭＡ通信方式の使用チャネルとブルートゥースのスキップするチャネルとの関係を示す図
【図５】本発明の実施の形態１に係る各通信システムの使用周波数を示す図
【図６】本発明の実施の形態１に係るホッピングパタンを示す図
【図７】本発明の実施の形態２に係る通信装置の構成を示すブロック図
【図８】本発明の実施の形態２に係るブルートゥースホッピングパタン設定部の構成を示すブロック図
【図９】本発明の実施の形態２に係る通信装置の動作を示すフロー図
【図１０】本発明の実施の形態２に係る各通信システムの使用周波数を示す図
【図１１】本発明の実施の形態３に係る通信装置の動作を示すフロー図
【図１２】本発明の実施の形態３に係る各通信システムの使用周波数を示す図
【図１３】本発明の実施の形態３に係るブルートゥースのチャネルをスキップしたホッピングパタンを示す図
【図１４】本発明の実施の形態３に係るブルートゥースのチャネルをスキップしないホッピングパタンを示す図
【図１５】本発明の実施の形態４に係る通信装置の構成を示すブロック図
【図１６】本発明の実施の形態４に係るブルートゥースホッピングパタン設定部の構成を示すブロック図
【図１７】本発明の実施の形態４に係る通信装置の動作を示すフロー図
【図１８】本発明の実施の形態４に係る各通信システムの使用周波数を示す図
【図１９】複数の無線システムに対応した通信装置の使用方法を説明する図
【図２０】Ｗ−ＣＤＭＡの信号とブルートゥースの信号により発生する相互変調歪みがＧＰＳの受信周波数と干渉する状態を示す図
【符号の説明】
【０１１８】
１００、７００、１５００  通信装置
１０１  Ｗ−ＣＤＭＡアンテナ部
１０２  デュプレクサ部
１０３  Ｗ−ＣＤＭＡ周波数シンセサイザ部
１０４  Ｗ−ＣＤＭＡＲＦ受信部
１０５  Ｗ−ＣＤＭＡＲＦ送信部
１０６  Ｗ−ＣＤＭＡベースバンド部
１１１  ブルートゥースアンテナ部
１１２  アンテナスイッチ部
１１３  ブルートゥース周波数シンセサイザ部
１１４  ブルートゥースＲＦ受信部
１１５  ブルートゥースＲＦ送信部
１１６  ブルートゥースベースバンド部
１１７、７０１、１５０２  ブルートゥースホッピングパタン設定部
１２１  ＧＰＳアンテナ部
１２２  ＧＰＳＲＦ受信部
１２３  ＧＰＳベースバンド部
１３０  ＣＰＵ部
【図１】
2009267678.tif 000003
【図２】
2009267678.tif 000004
【図３】
2009267678.tif 000005
【図４】
2009267678.tif 000006
【図５】
2009267678.tif 000007
【図６】
2009267678.tif 000008
【図７】
2009267678.tif 000009
【図８】
2009267678.tif 000010
【図９】
2009267678.tif 000011
【図１０】
2009267678.tif 000012
【図１１】
2009267678.tif 000013
【図１２】
2009267678.tif 000014
【図１３】
2009267678.tif 000015
【図１４】
2009267678.tif 000016
【図１５】
2009267678.tif 000017
【図１６】
2009267678.tif 000018
【図１７】
2009267678.tif 000019
【図１８】
2009267678.tif 000020
【図１９】
2009267678.tif 000021
【図２０】
2009267678.tif 000022